(57)【要約】【課題】暖房機本体１内に、暖房機本体の前面から内部を目視可能な燃焼筐３を備え、燃焼筐内に、バーナ２より上方に位置する擬似薪９を収納した暖炉型暖房機であって、バーナがブンゼン燃焼するものにおいて、大型化や暖房能力の犠牲といった不具合を生ずることなく擬似薪への火炎の接触による不完全燃焼の発生を防止できるようにする。【解決手段】擬似薪９の表面に、バーナ２の火炎Ｆに触れる可能性がある擬似薪９の部分９ａの下側に位置する開口９ｂが開設され、擬似薪９の内部に、燃焼筐３内に供給される空気の一部を開口９ｂに導く空気通路９ｃが形成される。【選択図】図１
2008116174.tif 000002
【特許請求の範囲】
【請求項１】
暖房機本体内に、暖房機本体の前面から内部を目視可能な燃焼筐を備え、燃焼筐内に、バーナより上方に位置する擬似薪を収納した暖炉型暖房機であって、バーナがブンゼン燃焼するものにおいて、
擬似薪の表面に、バーナの火炎に触れる可能性がある擬似薪の部分の下側に位置する開口が開設され、擬似薪の内部に、燃焼筐内に供給される空気の一部を開口に導く空気通路が形成されていることを特徴とする暖炉型暖房機。
【請求項２】
前記擬似薪は長手方向両端部を除き中空に形成されると共に、擬似薪の底部に擬似薪の中空部に空気を流入させる流入口が前記開口の形成領域より擬似薪の長手方向に広範囲に開設され、擬似薪の中空部で前記空気通路が構成されることを特徴とする請求項１記載の暖炉型暖房機。
【発明の詳細な説明】
【技術分野】
【０００１】
本発明は、暖房機本体内に、暖房機本体の前面から内部を目視可能な燃焼筐を備え、燃焼筐内に、バーナより上方に位置する擬似薪を収納した暖炉型暖房機に関する。
【背景技術】
【０００２】
従来、この種の暖炉型暖房機は、一般的に、燃焼筐内の燃焼排ガスを排気ファンにより屋外に排出する強制排気式に構成され、また、バーナとして全一次燃焼する赤外線バーナを用いている（例えば、特許文献１参照）。
【０００３】
尚、赤外線バーナは火炎の長さが短く擬似薪から炎が立ち昇るような視覚的印象を与えることができない。これに対し、バーナとしてブンゼン燃焼（燃焼用空気として一次空気と二次空気とを用いる燃焼方式）するものを用いると、火炎が大きくなり、擬似薪から炎が立ち昇るような視覚的印象を良好に与えることができる。
【０００４】
然し、ブンゼン燃焼するバーナを用いた場合、バーナの火炎が擬似薪に触れると、不完全燃焼でＣＯが発生する。上記の如く強制排気式であれば、ＣＯが発生しても特に問題はない。然し、暖炉型暖房機の設置を簡便にするため、燃焼排ガスを暖房機本体に開設した温風吹き出し口から放出する型式に構成した場合には、ＣＯの発生を確実に防止する必要がある。尚、強制排気式のものでも、不完全燃焼で煤が擬似薪に付着して見栄えを損なうため、バーナの火炎が擬似薪に触れないようにすることが望まれる。
【０００５】
従って、バーナとしてブンゼン燃焼するものを用いた場合には、バーナの火炎から一定の距離を置いて擬似薪を配置することが必要になり、暖房機を大型化せざるを得なくなる。また、暖房機の大型化を回避するには、火炎の大きさを小さくして暖房能力を犠牲にせざるを得なくなる。
【特許文献１】実開平５−３６２０１号公報
【発明の開示】
【発明が解決しようとする課題】
【０００６】
本発明は、以上の点に鑑み、バーナをブンゼン燃焼させるにも拘わらず、大型化や暖房能力の犠牲といった不具合を生ずることなく擬似薪への火炎の接触による不完全燃焼の発生を防止できるようにした暖炉型暖房機を提供することをその課題としている。
【課題を解決するための手段】
【０００７】
上記課題を解決するために、本発明は、暖房機本体内に、暖房機本体の前面から内部を目視可能な燃焼筐を備え、燃焼筐内に、バーナより上方に位置する擬似薪を収納した暖炉型暖房機であって、バーナがブンゼン燃焼するものにおいて、擬似薪の表面に、バーナの火炎に触れる可能性がある擬似薪の部分の下側に位置する開口が開設され、擬似薪の内部に、燃焼筐内に供給される空気の一部を開口に導く空気通路が形成されていることを特徴とする。
【０００８】
本発明によれば、燃焼筐内に供給された空気の一部が擬似薪内の空気通路を介して開口から流出する。そして、この開口の上側の擬似薪の部分（火炎に触れる可能性がある部分）が開口から上昇する空気層で覆われ、この部分への火炎の接触による不完全燃焼が防止される。従って、擬似薪を火炎の形成領域に入り込むように設置しても不完全燃焼を生じず、暖房能力を犠牲にせずに暖房機の大型化を回避できる。
【０００９】
また、本発明において、擬似薪は長手方向両端部を除き中空に形成されると共に、擬似薪の底部に擬似薪の中空部に空気を流入させる流入口が前記開口の形成領域より擬似薪の長手方向に広範囲に開設され、擬似薪の中空部で前記空気通路が構成されることが望ましい。これによれば、空気通路の通気抵抗が可及的に低減され、空気通路を介して開口に流れる空気量を十分に確保することができる。
【発明を実施するための最良の形態】
【００１０】
図１を参照して、１は暖房機本体を示している。暖房機本体１内には、下部のバーナ２と、バーナ２の上方に位置する燃焼筐３と、燃焼筐３の上方に位置する温風ファン４とが配置されている。
【００１１】
暖房機本体１には、その後面に上下複数の空気取入れ口５が開設され、また、その前面上部に温風吹出し口６が開設されている。温風吹出し口６には温風の吹出し方向を下向きにするルーバー６ａが装着され、また、暖房機本体１の後面の外側には図示省略したエアフィルタが装着される。
【００１２】
暖房機本体１の前面と燃焼筐３の前面とには、燃焼筐３の内部を目視可能とするために、夫々ガラス板７ａ，８ａを装着した窓部７，８が設けられている。そして、燃焼筐３内にセラミックス製の擬似薪９を収納し、暖炉風の感じが得られるようにしている。尚、本実施形態では、図２に示す如く、横方向に長手の保持枠１０を設けて、保持枠１０の前後に保持爪１０ａを介して前後一対の擬似薪９，９を取付けている。そして、保持枠１０を燃焼筐３の底面上に固定することで、擬似薪９，９を燃焼筐３内に収納している。
【００１３】
バーナ２は、多数の炎孔を有する燃焼プレート２ａを備えるプレート式バーナで構成されている。バーナ２に供給される混合気（燃料ガスと一次空気との混合ガス）は理論空燃比より燃料濃度が濃くなっている。また、燃焼プレート２ａの直上部の空間を囲う二次空気制限筒２ｂを設けて、燃焼プレート２ａの近傍で混合気が燃焼することを抑制している。そして、混合気が二次空気制限筒２ｂを介して燃焼筐３内の前後の擬似薪９，９間の空間に導入され、燃焼筐３の底面に二次空気制限筒２ｂの前後に沿わせて設けた給気部３ａからの二次空気の供給で混合気が燃焼筐３内でブンゼン燃焼するようにしている。これにより、前後の擬似薪９，９間から上方に立ち伸びる火炎Ｆが生成され、擬似薪９が燃えているような視覚的印象が与えられる。尚、燃焼筐３の底面には、二次空気用の給気部３ａより前方と後方に位置する冷却空気用の給気部３ａ´が設けられている。
【００１４】
温風ファン４は、図外のモータで回転駆動されるファン本体４ａと、ファン本体４ａを収納するファンケーシング４ｂとで構成されている。ファンケーシング４ｂの吹出し口４ｃは温風吹出し口６に接続され、ファンケーシング４ｂの吸込み口４ｄは燃焼筐３の上方位置で下向きに開口している。そして、燃焼筐３の上端の排気口３ｂをファンケーシング４ｂの吸込み口４ｄに臨ませている。
【００１５】
また、ファンケーシング４ｂの吸込み口４ｄは、排気口３ｂに対向するだけでなくその前方及び後方に亘って広がっている。そして、暖房機本体１の前面の窓部７に装着したガラス板７ａと燃焼筐３の前面の窓部８に装着したガラス板８ａとの間の隙間を窓部７の上端から吸込み口４ｄの前端に達する導風板１１を介して吸込み口４ｄの前部に連通させている。更に、暖房機本体１の後面と燃焼筐３の後面との間の隙間を吸込み口４ｄの後部に連通させている。
【００１６】
温風ファン４のファン本体４ａを回転させると、空気取入れ口５から流入する空気の一部が暖房機本体１の後面と燃焼筐３の後面との間の隙間を経由して温風ファン４に吸込まれる。また、空気取入れ口５から流入する空気の一部は燃焼筐３の下方空間に回り込み、この空気の一部は燃焼筐３の底面の給気部３ａ，３ａ´から燃焼筐３内に吸込まれる。そして、二次空気用の給気部３ａから吸い込まれる二次空気により燃焼筐３内での混合気の燃焼が行われて、燃焼排ガスが燃焼筐３の上端の排気口３ｂから温風ファン４に吸込まれる。また、燃焼筐３の下方空間に回り込んだ空気の一部は暖房機本体１の前面の窓部７に装着したガラス板７ａと燃焼筐３の前面の窓部８に装着したガラス板８ａとの間の隙間を経由して温風ファン４に吸込まれる。そして、燃焼排ガスと空気とが混合されて温風吹出し口６に送風される。図１には、空気の流れが白抜きの矢印で示され、燃焼排ガスの流れが黒塗りの矢印で示され、空気と燃焼排ガスとの混合後の温風の流れが白と黒に塗り分けた矢印で示されている。
【００１７】
ところで、前後の各擬似薪９は半割り形状であって、円弧状の表面が前方を向く。そして、円弧状の表面に節部９ａを突設して、本物の薪に似た感じになるようにしている。ここで、後側の擬似薪９は、後述する開口９ｂから空気を吹出さない場合に形成される火炎領域に節部９ａが入り込むように配置されている。このままでは、火炎Ｆが節部９ａに触れて不完全燃焼し、ＣＯが発生したり、煤が擬似薪９に付着する。
【００１８】
尚、後側の擬似薪９を、節部９ａが火炎領域に入り込まないように、後方にずらして配置すれば、擬似薪９への火炎Ｆの接触による不完全燃焼を防止できる。然し、この場合には、燃焼筐３の奥行寸法を大きくすることが必要になり、暖房機が大型化する。また、暖房機の大型化を回避するには、火炎Ｆを小さくして、擬似薪９に火炎Ｆが触れないようにすることが必要になり、暖房能力が犠牲になる。
【００１９】
そこで、本実施形態では、後側の擬似薪９の表面に、火炎Ｆに触れる可能性がある擬似薪９の部分、即ち、節部９ａの下側に位置する開口９ｂを開設している。後側の擬似薪９は、更に、長手方向両端部を除き中空に形成され、その底部に擬似薪９の中空部９ｃに空気を流入させる流入口９ｄが開口９ｂの形成領域より擬似薪９の長手方向に広範囲に開設されている。そして、燃焼筐３の底面後部に、冷却空気用の給気部３ａ´を流入口９ｄに対向するように広く開口させている。
【００２０】
これによれば、燃焼筐３内にその底面後部の冷却空気用給気部３ａ´から流入する空気が中空部９ｃで構成される擬似薪９内の空気通路に流入口９ｄから入り、中空部９ｃを介して擬似薪９の表面の開口９ｂに流れる。そして、擬似薪９の節部９ａが開口９ｂから吹出して上昇する空気層で覆われ、節部９ａへの火炎Ｆの接触による不完全燃焼が防止される。かくして、暖房機を大型化したり、火炎Ｆを小さくして暖房能力を犠牲にしなくても済む。
【００２１】
尚、開口９ｂの形成領域に合致する擬似薪９の長手方向部分にのみ擬似薪９内の空気通路を形成することも可能である。但し、本実施形態の如く擬似薪９を中空部９ｃに形成すると共に、底部の流入口９ｄを開口９ｂの形成領域より広範囲に形成した方が流入口９ｄから開口９ｂまでの通気抵抗が小さくなる。そのため、開口９ｂに流れる空気量を十分に確保でき、有利である。
【００２２】
また、本実施形態では、擬似薪９に、開口９ｂの上縁から内方にのびる舌片状のガイド部９ｅを設けている。これによれば、開口９ｂから吹出す空気流に火炎Ｆに向かう方向成分が与えられ、擬似薪９への火炎Ｆの接触が一層効果的に防止される。
【００２３】
以上、本発明の実施形態について図面を参照して説明したが、本発明はこれに限定されない。例えば、上記実施形態では、後側の擬似薪９の火炎Ｆに触れる可能性がある部分が節部９ａだけであるが、節部９ａ以外の部分も火炎Ｆに触れる可能性がある場合には、この部分の下側にも中空部９ｃに連通する開口を形成すれば良い。
【００２４】
また、上記実施形態は燃焼排ガスを暖房機本体１に開設した温風吹き出し口６から放出する型式の暖炉型暖房機に本発明を適用したものであるが、燃焼排ガスを排気ファンにより屋外に排出する強制排気式の暖炉型暖房機にも同様に本発明を適用できる。
【図面の簡単な説明】
【００２５】
【図１】本発明の実施形態の暖炉型暖房機の切断側面図。
【図２】実施形態の暖炉型暖房機で用いる擬似薪の斜視図。
【符号の説明】
【００２６】
１…暖房機本体、２…バーナ、３…燃焼筐、９…擬似薪、９ａ…節部（火炎に触れる可能性がある部分）、９ｂ…開口、９ｃ…中空部（空気通路）、９ｄ…流入口。
【図１】
2008116174.tif 000003
【図２】
2008116174.tif 000004